(57)【要約】【課題】電気式の経糸監視装置のためのドロッパであって、経糸を通すための少なくとも１つのアイが設けられている形式のものを改良して、経糸監視装置内で経糸によって支持されないようになっているものを提供する。【解決手段】ドロッパ１が、旋回点を有するダブルアーム式のレバーとして形成されており、該レバーの第１のレバーアーム７が、第２のレバーアーム８に対して比較的小さな質量で形成されており、質量の小さい方のレバーアーム７が、少なくとも１つのアイ９を備えている。【選択図】　　　図１
2004019090.tif 000002
【特許請求の範囲】
【請求項１】
電気式の経糸監視装置のためのドロッパであって、経糸を通すための少なくとも１つのアイが設けられている形式のものにおいて、
ドロッパ（１）が、旋回点を有するダブルアーム式のレバーとして形成されており、該レバーの第１のレバーアーム（７）が、第２のレバーアーム（８）に対して比較的小さな質量で形成されており、質量の小さい方のレバーアーム（７）が、少なくとも１つのアイ（９）を備えていることを特徴とする、電気式の経糸監視装置のためのドロッパ。
【請求項２】
ダブルアーム式のレバーが、平角に延びるレバーである、請求項１記載のドロッパ。
【請求項３】
ダブルアーム式のレバーが、アングルレバーである、請求項１記載のドロッパ。
【請求項４】
レバーアーム（７，８）が、ダブルアーム式のレバーの旋回軸に関して対称的に形成されている、請求項１記載のドロッパ。
【請求項５】
レバーアーム（７，８）が、ダブルアーム式のレバーの旋回軸に関して非対称的に形成されている、請求項１記載のドロッパ。
【請求項６】
質量の小さい方のレバーアーム（７）の垂直平面に、複数のアイ（９）が相互間隔を有して配置されている、請求項１記載のドロッパ。
【請求項７】
完全に導電材料から形成されている、請求項１記載のドロッパ。
【請求項８】
導電材料と非導電材料との組み合わせから成っている、請求項１記載のドロッパ。
【請求項９】
導電材料によって互いに接続されているコンタクト領域が設けられている、請求項１記載のドロッパ。
【発明の詳細な説明】
【０００１】
【発明の属する技術分野】
本発明は、電気式の経糸監視装置のためのドロッパであって、経糸を通すための少なくとも１つのアイが設けられている形式のものに関する。
【０００２】
【従来の技術】
ドイツ連邦共和国特許出願公開第４１１９５５０号明細書から公知のドロッパ（ドロップワイヤ）は、傾斜付けされたドロッパヘッドと、垂直に延びるコンタクトレールスリットと、コンタクトレールスリットの下位に設けられた、経糸を通すためのアイとを備えている。
【０００３】
このような形式のドロッパは、これとは別の公知のドロッパと同様に、織機における経糸監視装置の組込状態で、ドロッパのアイを通って引かれた経糸によってバランスを保っている。経糸の切断に際して、ドロッパは、コンタクトレールスリットを通って係合しているコンタクトレールに落下し、これによって電流回路が閉鎖される。電流回路の閉鎖によって製織プロセスの中断が生じる。公知のドロッパは、ドロッパの質量による経糸の負荷に関して欠点を有している。なぜならば各ドロッパは、経糸によって支持する必要がある、という理由による。糸切れし易い経糸では、そのようなドロッパの支持は、経糸の耐性に関して特に不都合なものとなっている。経糸切断が頻繁に生じるによって、製織プロセスの多くの中断が生じ、織機の生産性の制限に繋がる。
【０００４】
【特許文献１】
ドイツ連邦共和国特許出願公開第４１１９５５０号明細書
【０００５】
【発明が解決しようとする課題】
したがって本発明の課題は、冒頭で述べたような形式の、電気式の経糸監視装置のためのドロッパを改良して、経糸監視装置内で経糸によって支持されないようになっているものを提供することである。
【０００６】
【課題を解決するための手段】
この課題を解決するための本発明の装置によれば、ドロッパが、少なくとも１つの旋回点を有するダブルアーム式のレバーとして形成されており、該レバーの第１のレバーアームが、第２のレバーアームに対して比較的小さな質量で形成されており、質量の小さい方のレバーアームが、経糸を通すための、少なくとも１つのアイを備えている。
【０００７】
【発明の効果】
ドロッパの旋回点として、レバーアームに関して実質的に対称的に第１の貫通孔または第２の貫通孔が設けられており、有利にはこの貫通孔は、経糸監視装置のコンタクトレールとして形成された旋回軸によって、十分な遊びを有して貫通係合される。ダブルアーム式のレバーは、第１の実施形態では、平角に延びるレバーとして形成することができ、また第２の実施形態では、アングルレバーとして形成することができる。レバーアームは、平角に延びるレバーでもアングルレバーでも、旋回点の中央線に関して実質的に対称的に配置されている。
【０００８】
レバーアームの対称的な配置構成とは別の実施形態が考えられ、特にドロッパが、旋回軸の選択的な貫通係合のための少なくとも１つの第１の貫通孔と少なくとも１つの第２の貫通孔が設けられている場合に提供される。
【０００９】
本発明の１実施形態によれば、ドロッパは、経糸を通すための２つ以上のアイを備えることができる。ドロッパは、経糸監視装置に電気信号を発生させるために、完全に、自体公知の導電材料から成っている。さらにドロッパは、導電材料と非導電材料との組み合わせから形成することもでき、この場合ドロッパの少なくともコンタクト領域は、導電材料によって互いに接続されている。
【００１０】
【発明の実施の形態】
次に本発明の実施の形態を図示の実施例を用いて詳しく説明する。
【００１１】
図１および図２に示した薄板状で接触式のドロッパ１は、丸み付けされたドロッパヘッド２と真っ直ぐに延びるドロッパエンド３とを備えている。ドロッパヘッド２とドロッパエンド３との間には、ドロッパ１の長手中央線４に対して横向きに形成された、ドロッパ１の旋回点としての少なくとも１つの貫通孔５が設けられており、貫通孔５の中心線６によって、ダブルアーム式に平角で（つまり真っ直ぐに）延びるレバーとしてのドロッパが形成される。この場合第１のレバーアーム７は、第２のレバーアーム８よりも小さな質量で形成されている。
【００１２】
第１のレバーアーム７では、少なくとも１つのアイ９が、ドロッパ１の壁厚ｓにわたって貫通して延びている。
【００１３】
図３には、ドロッパ１が、旋回点として貫通孔５を備えたアングルレバーとして形成されている。
【００１４】
ここではアングルレバーは、一方では貫通孔５の中心線６とドロッパヘッド２との間で第１のレバーアーム７を形成していて、他方では中心線６とドロッパエンド３との間で第２のレバーアーム８を形成している。第２のレバーアーム８は、第１のレバーアーム７よりも大きな質量で形成されており、第１のレバーアーム７の長さ区分は、経糸を通すための少なくとも１つのアイ９を備えている。
【図面の簡単な説明】
【図１】ダブルアーム式に平角で延びるレバーとしてのドロッパを正面から示す図である。
【図２】図１のドロッパを側方から示す図である。
【図３】ダブルアーム式のアングルレバーとしてのドロッパを正面から示す図である。
【符号の説明】
１　ドロッパ、　２　ドロッパヘッド、　３　ドロッパエンド、　４　長手中央線、　５　貫通孔、　６　中心線、　７　レバーアーム、　８　レバーアーム、　９　アイ、　ｓ　厚さ
【図１】
2004019090.tif 000003
【図２】
2004019090.tif 000004
【図３】
2004019090.tif 000005